(57)【特許請求の範囲】
【請求項１】
カードが挿入されるカード挿入空間にカードを挿入するためのカード挿入口が設けられた筐体と、
前記カード挿入空間に挿入されたカードの厚さ方向を向く基板面を有する基板と、
前記基板面に取り付けられた光源部と、
カードコネクタと
を具備し、
前記カード挿入空間に挿入されたカードから情報を読み出すための回路が前記基板に設けられ、
前記カードコネクタは、前記カード挿入空間に挿入されたカードを保持するフレームの一部を形成する板状部材を備え、
前記板状部材は、前記基板に平行に配置され、
前記板状部材は、前記カード挿入空間を間に挟んで前記基板面と対向する金属表面を備え、
前記金属表面は、前記光源部から照射された光を前記カード挿入口の方向に反射するように配置された
カード挿入口の照光構造。
【請求項２】
前記カードコネクタは、前記基板面に取り付けられている
請求項１のカード挿入口の照光構造。
【請求項３】
前記カードコネクタは、前記カード挿入空間に挿入されたカードを検出するセンサ部を備える
請求項１又は２のカード挿入口の照光構造。
【発明の詳細な説明】
【技術分野】
【０００１】
本発明は、カード挿入口の照光構造に関する。
【背景技術】
【０００２】
従来、ＡＴＭ（自動現金預入支払機）のようなカードリーダにおいては、ユーザにカード挿入口を明示するためにＬＥＤのような発光素子が用いられている。
【０００３】
特許文献１に開示されているカードゲート機構においては、カード挿入口であるゲート口にカードを誘導する拡開部を設け、拡開部を備えたゲートフレームを光透過材料で形成し、内側から外側に光を照射して拡開部を透過させるので拡開部が光って見える。
【０００４】
また、他の照光構造としては、キーボタンの照光構造が特許文献２に開示され、ネームタグの照光構造が特許文献３に開示されている。
【特許文献１】再特ＷＯ２００２／０４２９９０号公報
【特許文献２】特開２００２−８４７８号公報
【特許文献３】特開２００４−３１７８２０号公報
【発明の開示】
【発明が解決しようとする課題】
【０００５】
本発明の目的は、カード挿入口の照光構造を備える機器が小型化されるカード挿入口の照光構造を提供することである。
【課題を解決するための手段】
【０００６】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００７】
本発明によるカード挿入口の照光構造は、カードが挿入されるカード挿入空間（２）にカードを挿入するためのカード挿入口（３）が設けられた筐体（１、１１、１２）と、前記カード挿入空間に挿入されたカードの厚さ方向を向く基板面（４ａ）を有する基板（４）と、前記基板面に取り付けられた光源部（５）と、前記カード挿入空間を間に挟んで前記基板面と対向し、前記光源部から照射された光を前記カード挿入口の方向に反射するように配置された金属表面（６１ａ、１２ａ）とを具備する。ここで、光源部が取り付けられた基板面と、光源部から照射された光をカード挿入口の方向に反射する金属表面とが、カード挿入空間をカードの厚さ方向に挟む積層構造となっており、カード挿入口の照光構造を備える機器が小型化される。
【０００８】
本発明によるカード挿入口の照光構造は、前記カード挿入空間に挿入されたカードを保持するカードコネクタ（６）を具備する。前記金属表面（６１ａ）は前記カードコネクタの一部である。ここで、光源部から照射された光を反射する金属表面がカードコネクタの一部であるため、カード挿入口の照光構造を備える機器の部品点数が少なくなる。
【０００９】
本発明によるカード挿入口の照光構造においては、前記カードコネクタは、前記基板面に取り付けられている。ここで、光源部と、光源部から照射された光を反射する金属表面とが同一の基板に取り付けられているため、光源と反射面とがユニット化され、カード挿入口の照光構造を備える機器の製造が容易になる。
【００１０】
本発明によるカード挿入口の照光構造においては、前記金属表面は、前記筐体の内壁面（１２ａ）である。ここで、光源部から照射された光を反射する金属表面が筐体の一部であるため、カード挿入口の照光構造を備える機器の部品点数が少なくなる。
【発明の効果】
【００１１】
本発明によれば、カード挿入口の照光構造を備える機器が小型化されるカード挿入口の照光構造が提供される。
【発明を実施するための最良の形態】
【００１２】
添付図面を参照して、本発明によるカード挿入口の照光構造を実施するための最良の形態を以下に説明する。
【００１３】
図１に本発明の第１及び第２の実施形態に係るカード挿入口の照光構造を示す。カード挿入口の照光構造は、筐体１と、筐体１の内部に設けられた基板４及びカードコネクタ６と、カード挿入空間２にカード７を挿入するために筐体１に設けられた開口部であるカード挿入口３と、基板４に取り付けられた光源部５とを備えている。ここで、カード挿入空間２は、基板４及びカードコネクタ６に周囲を囲まれている。基板４には、カード挿入空間２に挿入されたカード７から情報を読み出すための回路などが設けられている。光源部５は、ＬＥＤのような発光素子を有している。
【００１４】
（第１の実施形態）
図２に本発明の第１の実施形態に係るカード挿入口の照光構造の断面図を示す。
【００１５】
筐体１は、筐体上部１１と筐体下部１２とを有している。
【００１６】
カードコネクタ６は、板状部材６１と、カード挿入空間２に矢印Ａの方向に挿入されたカード７を検出するセンサ部６２とを有している。板状部材６１は、カード挿入空間２に挿入されたカード７を保持するフレームの一部を形成している。板状部材６１と、基板４とは、互いに平行に配置されている。板状部材６１の有する板状部材内側面６１ａと、基板４の有する基板面４ａとは、カード挿入空間２を挟んで対向している。ここで、板状部材内側面６１ａ及び基板面４ａは、カード挿入空間２に挿入されたカード７の厚さ方向（矢印Ｂの方向）を向いている。そして、基板４は、カード挿入空間２に挿入されたカード７と平行となるように配置されている。
【００１７】
光源部５は基板面４ａに取り付けられている。
【００１８】
図２において矢印で示すように、光源部５から照射された光は、板状部材内側面６１ａによってカード挿入口３の方向に反射され、ユーザ視点８から認識されるので、カード挿入口３の場所がユーザに示される。
【００１９】
ここで、カードコネクタ６の一部を光源部５から照射された光を反射する反射面として用いているため、部品点数が抑えられ、カード挿入口の照光構造が軽量化される。
【００２０】
また、板状部材内側面６１ａが金属表面であると、板状部材内側面６１ａの反射性能が高くなる。このとき、板状部材６１を金属製としても良く、板状部材６１をプラスチック製として板状部材内側面６１ａに金属のめっき膜又は蒸着膜を形成しても良い。また、金属製の板状部材６１の板状部材内側面６１ａに金属のめっき膜を形成することも可能である。
【００２１】
さらに、カードコネクタ６を基板面４ａに取り付けることとすれば、光源部５と光源部５から照射された光を反射する反射面（板状部材内側面６１ａ）とがユニット化されるため、カード挿入口の照光構造の製造が容易になる。
【００２２】
（第２の実施形態）
図３に本発明の第２の実施形態に係るカード挿入口の照光構造を示す。ここで、第１の実施形態に係るカード挿入口の照光構造と共通する部分には同一の番号が付されている。
【００２３】
第２の実施形態に係るカード挿入口の照光構造においては、板状部材６１にその厚さ方向に貫通する板状部材開口部６１ｂが形成されており、筐体下部１２の内壁面１２ａがカード挿入空間２に対して露出している。ここで、内壁面１２ａと基板面４ａとはカード挿入空間２を挟んで対向している。ここで、内壁面１２ａ及び基板面４ａは、カード挿入空間２に挿入されたカード７の厚さ方向を向いている。
【００２４】
図３において矢印で示すように、光源部５から照射された光は、内壁面１２ａによってカード挿入口３の方向に反射され、ユーザ視点８から認識されるので、カード挿入口３の場所がユーザに示される。
【００２５】
ここで、筐体下部１２の一部を光源部５から照射された光を反射する反射面として用いているため、部品点数が抑えられ、カード挿入口の照光構造が軽量化される。
【００２６】
また、内壁面１２ａが金属表面であると、内壁面１２ａの反射性能が高くなる。このとき、筐体下部１２を金属製としても良く、筐体下部１２をプラスチック製として内壁面１２ａに金属のめっき膜又は蒸着膜を形成しても良い。また、金属製の筐体下部１２の内壁面１２ａに金属のめっき膜を形成することも可能である。
【００２７】
本発明の第１及び第２の実施形態に係るカード挿入口の照光構造においては、平面形状の構造体４、１２ａ、６１ａと挿入されたカード７とが積層構造をとるため、カード挿入口の照光構造を備える機器が小型化される。また、光源部５から照射された光がカード挿入空間２内だけを通過してカード挿入口３から筐体１の外へと導かれるため、カード挿入空間２以外に光の通路が不要となり、カード挿入口の照光構造を備える機器が小型化される。
【００２８】
また、本発明の第１及び第２の実施形態に係るカード挿入口の照光構造においては、反射面となっている板状部材内側面６１ａ及び内壁面１２ａの表面に細かい凹凸を設けて、光源部５から照射された光が様々な方向に反射されるようにしても良い。例えば、板状部材内側面６１ａ及び内壁面１２ａを梨地状としても良い。
【００２９】
また、本発明の第１及び第２の実施形態に係るカード挿入口の照光構造においては、光源部５から照射された光をカード挿入口３の方向に反射する反射面を、板状部材内側面６１ａ上又は内壁面１２ａ上において、光源部５を板状部材内側面６１ａ上又は内壁面１２ａ上に正射影した位置よりもカード挿入口３に近い位置に配置しても良い。このような光源部５と反射面の配置は、カード挿入口３への照光を効率化する。
【図面の簡単な説明】
【００３０】
【図１】図１は、本発明の第１及び第２の実施形態に係るカード挿入口の照光構造を示す図である。
【図２】図２は、本発明の第１の実施形態に係るカード挿入口の照光構造の断面図である。
【図３】図３は、本発明の第２の実施形態に係るカード挿入口の照光構造の断面図である。
【符号の説明】
【００３１】
１…筐体
１１…筐体上部
１２…筐体下部
１２ａ…内壁面
２…カード挿入空間
３…カード挿入口
４…基板
４ａ…基板面
５…光源部
６…カードコネクタ
６１…板状部材
６１ａ…板状部材内側面
６１ｂ…板上部材開口部
６２…センサ部
７…カード
８…ユーザ視点
Ａ…カードの挿入方向を示す矢印
Ｂ…カードの厚さ方向を示す矢印
【図１】
0004535988.tif 000002
【図２】
0004535988.tif 000003
【図３】
0004535988.tif 000004